(57)【要約】バックホウ２と、そのバケット２ａに取り付けられる泥水吸引パイプ３と、その泥水吸引パイプ３に接続され、泥土に挿入された泥水吸引パイプ３から泥水を吸引する泥水吸引ポンプ１１、及び空気を真空吸引する真空ポンプ１２と、を備える移動式泥土脱水装置。泥水吸引パイプ３は、泥土に挿入される部分が透水孔３ａを有し、その周囲を覆うセパレートスクリーン３ｂが設けられて、先端に泥土に圧入される圧入コーン３ｃが設けられている。バケット２ａにより泥土に圧入コーン３ｄで圧入された泥水吸引パイプ３から、泥水吸引ポンプ１１により泥水を吸引するとともに、真空ポンプ１２により空気を真空吸引する工程を、バックホウ２を移動させる毎に繰り返し行う。
2017187714.tif 000002
【特許請求の範囲】
【請求項１】
可動部材を備える移動可能な移動機と、
前記可動部材に取り付けられる泥水吸引パイプと、
前記泥水吸引パイプに接続され、泥土に挿入された前記泥水吸引パイプから泥水を吸引する泥水吸引ポンプ、及び空気を真空吸引する真空ポンプと、
を備えることを特徴とする移動式泥土脱水装置。
【請求項２】
前記泥水吸引パイプは、泥土に挿入される部分が透水孔を有し、その周囲を覆うセパレートスクリーンが設けられて、先端に泥土に圧入される圧入コーンが設けられていることを特徴とする請求項１に記載の移動式泥土脱水装置。
【請求項３】
前記泥水吸引パイプには、圧気を供給するコンプレッサーが接続されることを特徴とする請求項１に記載の移動式泥土脱水装置。
【請求項４】
前記移動機は前記可動部材としてバケットを備えるバックホウで、前記バケットに前記泥水吸引パイプが固定されることを特徴とする請求項１に記載の移動式泥土脱水装置。
【請求項５】
前記泥水吸引パイプに高周波バイブロが取り付けられていることを特徴とする請求項１に記載の移動式泥土脱水装置。
【請求項６】
請求項１に記載の移動式泥土脱水装置を用いて、前記可動部材により泥土に挿入された前記泥水吸引パイプから、前記泥水吸引ポンプにより泥水を吸引するとともに、前記真空ポンプにより空気を真空吸引する工程を、前記移動機を移動させる毎に繰り返し行うことを特徴とする泥土脱水方法。
【請求項７】
請求項２に記載の移動式泥土脱水装置を用いて、前記泥水吸引パイプを先端の前記圧入コーンにより泥土に圧入することで、泥土を圧密することを特徴とする泥土脱水方法。
【請求項８】
請求項３に記載の移動式泥土脱水装置を用いて、前記可動部材により前記泥水吸引パイプを泥土から引き上げて、前記コンプレッサーにより前記泥水吸引パイプに圧気を供給することで、前記セパレートスクリーンに付着した泥土を吹き飛ばすことを特徴とする泥土脱水方法。
【請求項９】
請求項５に記載の移動式泥土脱水装置を用いて、前記可動部材により前記泥水吸引パイプを泥土から引き上げて、前記高周波バイブロにより前記泥水吸引パイプに高周波振動させた状態で、前記セパレートスクリーンに詰まった土粒を前記真空ポンプにより真空吸引することを特徴とする泥土脱水方法。
【発明の詳細な説明】
【技術分野】
【０００１】
本発明は、移動式の泥土脱水装置と、その移動式泥土脱水装置を用いて泥土を脱水する方法に関する。
【背景技術】
【０００２】
特許文献１において、地盤の改良工法が提案されている。
この工法は、ＳＷＰ（スーパーウェルポイント）を用いて飽和地下水を負圧伝播で揚水することで、主に目的のエリアのみ集中してスポット的に水位低下が望め不飽和ゾーンを作り出す。その後、ＳＷＰのバキユームポンプや、ボルテックスポンプを用いて、不飽和ゾーンの範囲で真空気化を促進して水分の除去やＶＯＣｓ（揮発性有機化合物）、油分など気化性のものを地中から除去し、地盤改良や土壌浄化を進める。
この地盤改良工法の基本は、地下水を真空吸引で強制排水し、不飽和ゾーンを形成して真空気化を促し、脱水及び乾燥を促進させる工法である。
【先行技術文献】
【特許文献】
【０００３】
【特許文献１】特許第４１１４９４４（特開２００７−３０３０９５）号公報
【発明の概要】
【発明が解決しようとする課題】
【０００４】
ところで、泥水・泥土を小型ＳＷＰで吸引すると、スクリーンの周りにヘドロが団子状態で圧密状に張り付き、その背面の重力水等を吸引することができなかった。
自然地盤では、洗浄後に負圧吸引をしても、目詰まりすることはないものの、試験的に人工的な例えば高含水比（ｅ≒１００〜１０００％）の泥土を真空吸引すると、コロイド粒子が移動してスクリーン周りに張り付き、目詰まりが発生していた。【０００５】
本発明の課題は、目詰まりに対処して移動可能な泥土脱水装置を提供することである。
【課題を解決するための手段】
【０００６】
以上の課題を解決するため、請求項１に記載の発明は、
可動部材を備える移動可能な移動機と、
前記可動部材に取り付けられる泥水吸引パイプと、
前記泥水吸引パイプに接続され、泥土に挿入された前記泥水吸引パイプから泥水を吸引する泥水吸引ポンプ、及び空気を真空吸引する真空ポンプと、
を備える移動式泥土脱水装置を特徴とする。【０００７】
請求項２に記載の発明は、
請求項１に記載の移動式泥土脱水装置であって、
前記泥水吸引パイプは、泥土に挿入される部分が透水孔を有し、その周囲を覆うセパレートスクリーンが設けられて、先端に泥土に圧入される圧入コーンが設けられていることを特徴とする。【０００８】
請求項３に記載の発明は、
請求項１に記載の移動式泥土脱水装置であって、
前記泥水吸引パイプには、圧気を供給するコンプレッサーが接続されることを特徴とする。【０００９】
請求項４に記載の発明は、
請求項１に記載の移動式泥土脱水装置であって、
前記移動機は前記可動部材としてバケットを備えるバックホウで、前記バケットに前記泥水吸引パイプが固定されることを特徴とする。【００１０】
請求項５に記載の発明は、
請求項１に記載の移動式泥土脱水装置であって、
前記泥水吸引パイプに高周波バイブロが取り付けられていることを特徴とする。【００１１】
請求項６に記載の発明は、
請求項１に記載の移動式泥土脱水装置を用いて、前記可動部材により泥土に挿入された前記泥水吸引パイプから、前記泥水吸引ポンプにより泥水を吸引するとともに、前記真空ポンプにより空気を真空吸引する工程を、前記移動機を移動させる毎に繰り返し行う泥土脱水方法を特徴とする。【００１２】
請求項７に記載の発明は、
請求項２に記載の移動式泥土脱水装置を用いて、前記泥水吸引パイプを先端の前記圧入コーンにより泥土に圧入することで、泥土を圧密する泥土脱水方法を特徴とする。【００１３】
請求項８に記載の発明は、
請求項３に記載の移動式泥土脱水装置を用いて、前記可動部材により前記泥水吸引パイプを泥土から引き上げて、前記コンプレッサーにより前記泥水吸引パイプに圧気を供給することで、前記セパレートスクリーンに付着した泥土を吹き飛ばす泥土脱水方法を特徴とする。【００１４】
請求項９に記載の発明は、
請求項５に記載の移動式泥土脱水装置を用いて、前記可動部材により前記泥水吸引パイプを泥土から引き上げて、前記高周波バイブロにより前記泥水吸引パイプに高周波振動させた状態で、前記セパレートスクリーンに詰まった土粒を前記真空ポンプにより真空吸引する泥土脱水方法を特徴とする。
【発明の効果】
【００１５】
本発明によれば、装置を移動させて泥土脱水することにより目詰まりに容易に対処することができる。
【図面の簡単な説明】
【００１６】
【図１】本発明を適用した移動式泥土脱水装置の一実施形態の構成を示すもので、泥土脱水作業の概要を示した要部破断の側面図である。
【図２】図１の泥水吸引パイプ部分の拡大図である。
【図３】別設備の脱水土ピットを示す平面図である。
【図４】図１の脱水土ピットの縦断面図である。
【図５】実施形態２の泥土運搬船の場合を示す概略平面図である。
【図６】変形例の要部縦断面図である。
【図７】実施形態３の残土処理設備の場合を示す概略側面図である。
【図８】実施形態４の浚渫土処理システムの場合を示す概略平面図である。
【図９】図８の要部破断の側面図である。
【発明を実施するための形態】
【００１７】
以下、図を参照して本発明を実施するための形態を詳細に説明する。
（実施形態１）
図１は本発明を適用した移動式泥土脱水装置の一実施形態の構成を示すもので、１は泥土ピット、２はバックホウ（移動機）、３は泥水吸引パイプ、４は吸引ホース、５は切替バルブ、６は吸引ホース、７は圧気供給ホース、１１は泥水吸引ポンプ、１２は真空ポンプ、１３は吸引ホース、１４はコンプレッサー、１５は発電機である。
【００１８】
図示のように、泥土ピット１には泥土が貯められており、地上を移動する移動機の一つであるバックホウ２の可動部材であるバケット２ａに取り付けた泥水吸引パイプ３が、泥土ピット１の泥土中に圧入して挿入される。
【００１９】
泥水吸引パイプ３は直径１００ｍｍ程度で、この泥水吸引パイプ３には、図２に拡大して示すように、先端側に多数の透水孔３ａが形成されて、その周囲がフィルターによるセパレートスクリーン３ｂで覆われていて、その周囲が防護管として直径１１０ｍｍ程度のパンチングメタル管３ｃで覆われている。
【００２０】
さらに、泥水吸引パイプ３の先端は斜めにカットされた形状で、その開口端を塞いで圧入をガイドする圧入コーン３ｄが取り付けられている。
以上の泥水吸引パイプ３は、バックホウ２のバケット２ａの先端に固定バンド３ｅで固定されている。
【００２１】
また、泥水吸引パイプ３に接続した吸引ホース４には、地上側において、切替バルブ５が接続されている。この切替バルブ５に接続した吸引ホース６に、地上の泥水吸引ポンプ１１が接続されている。この泥水吸引ポンプ１１には、地上の真空ポンプ１２に接続した吸引ホース１３が接続されている。
このように、泥水吸引パイプ３は、小型ＳＷＰと同様の構成である。
【００２２】
また、切替バルブ５に接続した圧気供給ホース７に、地上の車両に搭載したコンプレッサー１４が接続されている。
なお、泥水吸引ポンプ１１及び真空ポンプ１２は、地上に設置した発電機１５に電気的接続されている。
【００２３】
このような構成の移動式泥土脱水装置は、図１に示すように、泥土ピット１の泥土に対し、バケット２ａにより圧入コーン３ｄで泥水吸引パイプ３を圧入する。これにより、圧入コーン３ｄ下の泥土は加圧により圧密される。
そして、その圧入コーン３ｄによる泥土の密圧によって、図２に示すように、泥土中の水を絞り出して圧密土と浮き水に分離される。
【００２４】
続いて、その泥土中に圧入された泥水吸引パイプ３から、泥水吸引ポンプ１１により泥水を吸引するとともに、真空ポンプ１２により空気を真空吸引する工程を、バックホウ２を移動させる毎に繰り返し行う。
【００２５】
ここで、泥水吸引パイプ３において、泥水吸引ポンプ１１の吸引により、泥土中の浮き水がパンチングメタル管３ｃの小孔、セパレートスクリーン３ｂ、及び透水孔３ａを通って吸引されて、吸引ホース４、切替バルブ５、及び吸引ホース６を経て泥水吸引ポンプ１１に吸引されて排水される。
また、真空ポンプ１２により泥水吸引パイプ３内の空気を真空吸引して排気することによって、泥水中の水が泥水吸引パイプ３内に流入する。
【００２６】
以上において、セパレートスクリーン３ｂが目詰まりしたら、泥水吸引パイプ３を引き上げ、泥土ピット（図３及び図４参照）で張り付きスケールを取り除き、図２に示すように、切替バルブ５を切替操作して、コンプレッサー１４の圧気でセパレートスクリーン３ｂを逆噴して目詰まりを回復させる。
なお、土質条件においてメッシュの目を変える。
【００２７】
このように、バックホウ２のバケット２ａに、泥水吸引パイプ３を取り付けることにより、泥土内に泥水吸引パイプ３を圧入でき、泥土を部分的に加圧密状態としてコロイド分の移動をできるだけ少なくし、浮き水・ノロ分をスポット的に吸引して、吸引効率を上げることができる。
しかも、セパレートスクリーン３ｂ付きの泥水吸引パイプ３は容易に移動できるため、初めにうわ水のみを吸引し、次に緩い所を吸引し、移動の度にセパレートスクリーン３ｂに付いたノロを除去しながら全体の含水分を除去して脱水することができる。
そして、圧入コーン３ｄで泥水吸引パイプ３を圧入することにより、粘性土のコアのみを残して、例えばコーン指数２００位を目指すことができる。
【００２８】
以上、実施形態の移動式泥土脱水装置によれば、泥水吸引ポンプ１１及び真空ポンプ１２に接続された泥水吸引パイプ３をバックホウ２のバケット２ａに取り付けたので、バックホウ２を移動させて泥土ピット１内の泥土を脱水することにより目詰まりに容易に対処することができる。
【００２９】
図３及び図４は別設備の脱水土ピット２１を示すもので、図示のように、脱水土ピット２１内の対向する両側にスケール剥ぎ取り板２２が備えられて、そのスケール剥ぎ取り板２２の中央に半円切り欠き状の剥ぎ取り部２３が形成されている。
【００３０】
先ず、バックホウ２のバケット２ａに取り付けた泥水吸引パイプ３を脱水土ピット２１内に入れて水平移動により、泥水吸引パイプ３外側のパンチングメタル管３ｃをスケール剥ぎ取り板２２の半円状の剥ぎ取り部２３に当てる。
そして、泥水吸引パイプ３を上下移動して、泥水吸引ポンプ１１で吸引しながらパンチングメタル管３ｃ外側に張り付いたノロを半円状の剥ぎ取り部２３で剥ぎ取って、脱水土ピット２１内に掻き落とすことができる。
【００３１】
（実施形態２）
図５は実施形態２の泥土運搬船の場合を示すもので、前述した実施形態１と同様、３は泥水吸引パイプ、４は吸引ホース、１１は泥水吸引ポンプ、１２は真空ポンプ、１３は吸引ホース、１４はコンプレッサー、１５は発電機、２１は脱水土ピッチ、２２はスケール剥ぎ取り板、２３は剥ぎ取り部であって、３１は引き船、３２は牽引索、３３は台船、３４は泥土タンク、３５は泥水タンク、３６は冷却水槽、４１はレール、４２は脱水ロボット（移動機）、４３はアーム、４４は油圧ユニット、４５はコントロール盤である。
【００３２】
図示のように、引き船３１に牽引索３２で牽引される台船３３には、脱水土ピッチ２１、泥土タンク３４、泥水タンク３５、冷却水槽３６が備えられるとともに、泥土タンク３４の一側部に沿って一対のレール４１が敷設されている。このレール４１に沿って水平移動する移動機である脱水ロボット４２が搭載され、この脱水ロボット４２のアーム４３に泥水吸引パイプ３が取り付けられている。
また、台船３３には、泥水吸引ポンプ１１、真空ポンプ１２、コンプレッサー１４、発電機１５、油圧ユニット４４、コントロール盤４５が設置されている。
【００３３】
このような泥土運搬船では、脱水土ピッチ２１、泥土タンク３４、泥水タンク３５、冷却水槽３６が備えられた台船３３にレール４１に沿って水平移動する脱水ロボット４２のアーム４３に泥水吸引パイプ３を取り付けて、コントロール盤４５で前述したように泥土脱水作業を行う。
【００３４】
以上、実施形態２の移動式泥土脱水装置を備える泥土運搬船によれば、台船３３上のレール４１に沿って水平移動する脱水ロボット４２のアーム４３に、泥水吸引ポンプ１１及び真空ポンプ１２に接続された泥水吸引パイプ３を取り付けたので、台船３３上のレール４１に沿って脱水ロボット４２を水平移動させて泥土タンク３４内の泥土を脱水することにより目詰まりに容易に対処することができる。
【００３５】
（変形例）
図６は変形例を示すもので、前述した実施形態１と同様、３は泥水吸引パイプ、３ａは透水孔、３ｂはセパレートスクリーンであって、５１は高周波バイブロ、５２はバンドである。
【００３６】
図示のように、泥水吸引パイプ３に高周波バイブロ５１をバンド５２で取り付ける。
ここで、セパレートスクリーン３ｂの目詰まり防止として、メッシュの目を１ｍｍ→３ｍｍ程度に大きく（粗く）して吸引する。
【００３７】
先ず、泥土中に泥水吸引パイプ３を挿入して、その泥水吸引パイプ３を泥水吸引ポンプ１１で吸引するとともに真空ポンプ１２で真空吸引すると、図示のように、一番上の水を吸引して除去でき、次のゆるい粘性土も吸引して除去できる。
続いて、一番下の硬い粘性土は、泥水吸引パイプ３の先端の挿入が硬い粘性土でストップされて、透水孔３ａにエアーが入って吸引できないことから、その硬い粘性土をコアとして残すことができる。
【００３８】
そして、高周波バイブロ５１の駆動により泥水吸引パイプ３を高周波振動させて、泥水吸引パイプ３を泥水吸引ポンプ１１で吸引するとともに真空ポンプ１２で真空吸引することによって、セパレートスクリーン３ｂにスラッジ状に付いた粒を吸引させて、目詰まり発生を防止することができる。
【００３９】
（実施形態３）
図７は実施形態３の残土処理設備の場合を示すもので、前述した実施形態１と同様、２はバックホウ、３は泥水吸引パイプ、３ｂはセパレートスクリーン、４は吸引ホース、１１は泥水吸引ポンプであって、６１は残土ピット、６２はサンドマスター（振動ふるい）、６３は泥水タンク、６４はダンプトラックである。
【００４０】
図示のように、バックホウ２のアーム２ｂにアタッチメント２ｃで取り付けた泥水吸引パイプ３の先端を残土ピット６１内の残土に挿入する。
また、泥水吸引パイプ１１の下方に振動ふるいであるサンドマスター６２を設ける。このサンドマスター６２は、地上に設置した泥水タンク６３の上に配置する。
【００４１】
以上、実施形態３の移動式泥土脱水装置を備える残土処理設備によれば、残土ピット６１内の残土に先端を挿入した泥水吸引パイプ３を泥水吸引ポンプ１１で吸引して、その吸引されてサンドマスター６２でふるいにかけたスラッジ粒を回収する。
そして、その回収したスラッジ粒をダンプトラック６４に積んで別施設の水処理プラントへ運ぶ。
【００４２】
（実施形態４）
図８及び図９は実施形態４の浚渫土処理システムの場合を示すもので、前述した実施形態１と同様、２はバックホウ、２ａはバケット、３は泥水吸引パイプ、４は吸引ホース、１１は泥水吸引ポンプ、１２は真空ポンプ、１３は吸引ホース、１４はコンプレッサー、１５は発電機であって、７１はグラブ船、７２は浚渫クレーン、７３は土運搬船、７４が浚渫土タンク、７５は脱水作業船、７６は冷却水槽、７７は濁水防護シートである。
【００４３】
図示のように、脱水作業船７５には、バケット２ａに泥水吸引パイプ３を備えるバックホウ２が積載されて、泥水吸引ポンプ１１、真空ポンプ１２、コンプレッサー１４、発電機１５、冷却水槽７６が設置されている。
【００４４】
以上、実施形態４の移動式泥土脱水装置を備える浚渫土処理システムによれば、グラブ船７１の浚渫クレーン７２で土運搬船７３の浚渫土タンク７４に投入された浚渫土に、脱水作業船７５に積載したバックホウ２のバケット２ａに備える泥水吸引パイプ３の先端を挿入して、泥水吸引パイプ３を泥水吸引ポンプ１１で吸引するとともに真空ポンプ１２で真空吸引することで、土運搬船７３の浚渫土タンク７４内の泥土を脱水することにより目詰まりに容易に対処することができる。
【００４５】
（他の変形例）
以上の実施形態においては、移動機をバックホウやロボットとしたが、本発明はこれに限定されるものではなく、他の車両や重機であってもよい。
また、その他、具体的な細部構造や手法等についても適宜に変更可能であることは勿論である。
【産業上の利用可能性】
【００４６】
本発明は、泥土吸引による目詰まりに対処するために用い、移動させて泥土脱水する装置として利用することができる。
【符号の説明】
【００４７】
１  泥土ピット
２  バックホウ（移動機）
２ａ  バケット（可動部材）
３  泥水吸引パイプ
３ａ  透水孔
３ｂ  セパレートスクリーン
３ｃ  パンチングメタル管（防護管）
３ｄ  圧入コーン
３ｅ  固定バンド
４  吸引ホース
５  切替バルブ
６  吸引ホース
７  圧気供給ホース
１１  泥水吸引ポンプ
１２  真空ポンプ
１３  吸引ホース
１４  コンプレッサー
１５  発電機
２１  脱水土ピット
２２  スケール剥ぎ取り板
２３  剥ぎ取り部
３１  引き船
３２  牽引索
３３  台船
３４  泥土タンク
３５  泥水タンク
３６  冷却水槽
４１  レール
４２  脱水ロボット（移動機）
４３  アーム
４４  油圧ユニット
４５  コントロール盤
５１  高周波バイブロ
５２  バンド
６１  残土ピット
６２  サンドマスター（振動ふるい）
６３  泥水タンク
６４  ダンプトラック
７１  グラブ船
７２  浚渫クレーン
７３  土運搬船
７４  浚渫土タンク
７５  脱水作業船
７６  冷却水槽
７７  濁水防護シート
【図１】
2017187714.tif 000003
【図２】
2017187714.tif 000004
【図３】
2017187714.tif 000005
【図４】
2017187714.tif 000006
【図５】
2017187714.tif 000007
【図６】
2017187714.tif 000008
【図７】
2017187714.tif 000009
【図８】
2017187714.tif 000010
【図９】
2017187714.tif 000011
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
可動部材を備える移動可能な移動機と、
前記可動部材に取り付けられる泥水吸引パイプと、
前記泥水吸引パイプに接続され、泥土に挿入された前記泥水吸引パイプから泥水を吸引する泥水吸引ポンプ、及び空気を真空吸引する真空ポンプと、
を備える移動式泥土脱水装置であって、
前記泥水吸引パイプは、泥土に挿入される部分が透水孔を有し、その周囲を覆うセパレートスクリーンが設けられて、先端が斜めにカットされた形状となっており、その斜めにカットされた形状の開口端を塞いで泥土への圧入をガイドする圧入コーンが取り付けられていることを特徴とする移動式泥土脱水装置。
【請求項２】
（削除）
【請求項３】
前記泥水吸引パイプには、圧気を供給するコンプレッサーが接続されることを特徴とする請求項１に記載の移動式泥土脱水装置。
【請求項４】
前記移動機は前記可動部材としてバケットを備えるバックホウで、前記バケットに前記泥水吸引パイプが固定バンドにより固定されていることを特徴とする請求項１に記載の移動式泥土脱水装置。
【請求項５】
前記泥水吸引パイプに高周波バイブロが取り付けられていることを特徴とする請求項１に記載の移動式泥土脱水装置。
【請求項６】
請求項１に記載の移動式泥土脱水装置を用いて、前記可動部材により泥土に挿入された前記泥水吸引パイプから、前記泥水吸引ポンプにより泥水を吸引するとともに、前記真空ポンプにより空気を真空吸引する工程を、前記移動機を移動させる毎に繰り返し行う泥土脱水方法であって、
前記泥水吸引パイプを先端の前記圧入コーンにより泥土に圧入することで、泥土を圧密することを特徴とする泥土脱水方法。
【請求項７】
（削除）
【請求項８】
請求項３に記載の移動式泥土脱水装置を用いて、前記可動部材により前記泥水吸引パイプを泥土から引き上げて、前記コンプレッサーにより前記泥水吸引パイプに圧気を供給することで、前記セパレートスクリーンに付着した泥土を吹き飛ばすことを特徴とする泥土脱水方法。
【請求項９】
請求項５に記載の移動式泥土脱水装置を用いて、前記可動部材により前記泥水吸引パイプを泥土から引き上げて、前記高周波バイブロにより前記泥水吸引パイプに高周波振動させた状態で、前記セパレートスクリーンに詰まった土粒を前記真空ポンプにより真空吸引することを特徴とする泥土脱水方法。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
可動部材を備える移動可能な移動機と、
前記可動部材に取り付けられる泥水吸引パイプと、
前記泥水吸引パイプに接続され、泥土に挿入された前記泥水吸引パイプから泥水を吸引する泥水吸引ポンプ、及び空気を真空吸引する真空ポンプと、
を備える移動式泥土脱水装置であって、
前記泥水吸引パイプは、泥土に挿入される部分が透水孔を有し、その周囲を覆うセパレートスクリーンが設けられて、先端が斜めにカットされた形状となっており、その斜めにカットされた形状の開口端を塞いで泥土への圧入をガイドする圧入コーンが取り付けられており、
前記移動機は前記可動部材としてバケットを備えるバックホウで、前記バケットに前記泥水吸引パイプが固定バンドにより固定されていることを特徴とする移動式泥土脱水装置。
【請求項２】
（削除）
【請求項３】
前記泥水吸引パイプには、圧気を供給するコンプレッサーが接続されることを特徴とする請求項１に記載の移動式泥土脱水装置。
【請求項４】
（削除）
【請求項５】
前記泥水吸引パイプに高周波バイブロが取り付けられていることを特徴とする請求項１に記載の移動式泥土脱水装置。
【請求項６】
請求項１に記載の移動式泥土脱水装置を用いて、前記バケットにより泥土に挿入された前記泥水吸引パイプから、前記泥水吸引ポンプにより泥水を吸引するとともに、前記真空ポンプにより空気を真空吸引する工程を、前記バックホウを移動させる毎に繰り返し行う泥土脱水方法であって、
前記バックホウの前記バケットに前記固定バンドで固定された前記泥水吸引パイプを先端の前記圧入コーンにより泥土に圧入することで、泥土を圧密することを特徴とする泥土脱水方法。
【請求項７】
（削除）
【請求項８】
請求項３に記載の移動式泥土脱水装置を用いて、前記バケットにより前記泥水吸引パイプを泥土から引き上げて、前記コンプレッサーにより前記泥水吸引パイプに圧気を供給することで、前記セパレートスクリーンに付着した泥土を吹き飛ばすことを特徴とする泥土脱水方法。
【請求項９】
請求項５に記載の移動式泥土脱水装置を用いて、前記バケットにより前記泥水吸引パイプを泥土から引き上げて、前記高周波バイブロにより前記泥水吸引パイプに高周波振動させた状態で、前記セパレートスクリーンに詰まった土粒を前記真空ポンプにより真空吸引することを特徴とする泥土脱水方法。
【国際調査報告】
2017187714.tif 000012
2017187714.tif 000013
2017187714.tif 000014
2017187714.tif 000015